(57)【要約】【課題】液戻り性が顕著に改善され、内容液注出用の開口が非円形に形成されている場合にも、内容液注出後において、注出案内用突起の付け根部分と注出用開口との間の部分に内容液が付着残存して貯留することなく、速やかに容器内に戻る構造の注出具を提供する。【解決手段】環状の内周縁を有する水平フランジ部７と、水平フランジ部７の内周縁から中心部に向かって傾斜して延びている傾斜壁５１を有しているすり鉢型形状の凹部９とからなり、凹部９内には、傾斜壁５１の下面に設けられた無端状スコア１１によって囲まれた開口予定部が形成されており、開口予定部の上面には、プルリング１３を支柱１５が設けられ、水平フランジ部７の上面には、注出筒１０が形成されている注出具において、傾斜壁５１の上面には、無端状スコア１１の外側全周に沿って、且つ前記無端状スコアの近傍に、径方向内側が下方に凹む段差部５３が形成されていることを特徴とする。【選択図】図４
2008110769.tif 000002
【特許請求の範囲】
【請求項１】
環状の内周縁を有する水平フランジ部と、該水平フランジ部の内周縁から中心部に向かって下方に傾斜して延びている傾斜壁を有しているすり鉢型形状の凹部とからなり、該凹部内には、前記傾斜壁の下面に設けられた無端状スコアによって囲まれた開口予定部が形成されており、該開口予定部の上面には、スコア引き裂き用のプルリングを上端に備えた支柱が設けられているとともに、前記水平フランジ部の上面には、注出液案内用突起が形成されている注出具において、
前記傾斜壁の上面には、前記無端状スコアの外側全周に沿って、且つ前記無端状スコアの近傍に、径方向内側が下方に凹む段差部が形成されていることを特徴とする注出具。
【請求項２】
環状の内周縁を有する水平フランジ部と、該水平フランジ部の内周縁から中心部に向かって下方に傾斜して延びている傾斜壁を有しているすり鉢型形状の凹部とからなり、該凹部内には、前記傾斜壁に設けられた無端状のスコアによって囲まれた開口予定部が形成されており、該開口予定部の上面には、スコア引き裂き用のプルリングを上端に備えた支柱が設けられているとともに、前記水平フランジ部の上面には、注出液案内用突起が形成されている注出具において、
前記無端状スコアは、前記傾斜壁の上面に形成されていることを特徴とする注出具。
【請求項３】
前記無端状スコアは、非円形形状に形成されている請求項１または２に記載の注出具。
【請求項４】
前記開口予定部の前記無端状スコアの近傍部分には、部分的に水平な部分が形成されており、この水平な部分に、前記プルリングを上端に備えた支柱が設けられている請求項１乃至３の何れかに記載の注出具。
【請求項５】
請求項１乃至４の何れかに記載の注出具がキャップ本体と、該キャップ本体に被せられる上蓋とからなる容器蓋であり、該キャップ本体が容器口部に嵌合固定される筒状側壁と、該筒状側壁の上端開口部を閉じるように設けられている天面壁からなり、該天面壁が前記水平フランジ部と前記凹部からなることを特徴とする注出具。
【発明の詳細な説明】
【技術分野】
【０００１】
本発明は、容器口部に設けられ、容器内容液の注ぎ出しに使用される注出具に関するものであり、より詳細には、容器口部のシール具としての機能を有し、容器の口部に設けられ、容器内容液の注ぎ出しに際しては、プルリングを引っ張っての無端状スコアの引き裂きにより容器内容液注出用の開口が形成される注出具に関する。
【背景技術】
【０００２】
各種飲料や調味料などが収容された容器の口部には、シール具として機能する注出具が使用される場合が多い。即ち、この注出具は、破断可能な無端状スコアによって区画された内容液注出用の開口予定部が形成されており、この開口予定部の上面には、上端にプルリングを有する支柱が設けられており、開口予定部の外側には、注出液案内用の注出筒が設けられた構造を有しており、該注出具が容器口部に固定されている状態で、該プルリングを引っ張り上げることにより前記弱化ラインが引き裂かれて開口予定部に内容液注出用の開口が形成される。従って、このような開口が形成された状態で容器を傾けることにより、該開口から容器内容液が注ぎ出され、注ぎ出された容器内容液は、注出筒の内面に沿って案内され、外部に注ぎだされることとなる。
【０００３】
このようなシール具としての機能を有する注出具は、それ単独で中栓として容器口部に設けられたり、容器蓋として容器口部に設けられたり、或いは紙容器の注出具として設けられて使用に供される。
【０００４】
ところで、上記のようなシール具においては、無端状スコアを引き裂いて内容液注出用開口を形成し、この開口を介して内容液の注ぎ出しを行なった後の液戻り性が問題となっている。即ち、内容液の注出後に傾斜した容器を直立状態に戻したとき、注出筒の内面に付着残存した内容液が落下するが、この液が容器内部に戻らず、注出筒の付け根部内面と内容液注出用開口との間の壁面に貯留してしまうという問題がある。このような液の貯留は、衛生上の観点からも望ましくなく、その改善が求められている。
【０００５】
本出願人は、このような問題を改善するために、先に、環状の内周縁を有する水平フランジ部と、該水平フランジ部の内周縁から中心部に向かって傾斜して延びている傾斜壁を有しているすり鉢型形状の凹部とからなり、該凹部内に、前記傾斜壁の下面に設けられた無端状スコアによって囲まれた開口予定部が形成されており、前記水平フランジ部の上面に注出案内用突起（注出筒）が形成されている構造の注出具を提案した（特許文献１）。
【０００６】
即ち、上記のような構造の注出具では、スコアの引き裂きによって形成された内容液注出用開口と注出筒の付け根部との間の部分が傾斜面となるため、注出筒内面に付着残存した内容液は、この傾斜面に沿ってスムーズに容器内に落下するというものである。
【特許文献１】特開平９−３１５４５６号公報
【発明の開示】
【発明が解決しようとする課題】
【０００７】
しかしながら、上記のような構造の注出具においても、液戻り性は未だ不十分であり、さらに、その改善が求められている。特に、無端状スコアにより形成される内容液注出用開口の形状は、スコアの引き裂き性を高めたり或いは内容液の注ぎ出し量を調整するために、スコア間の間隔が狭くなっている部分を形成する場合が多いが、このように無端状スコアの形状を非円形状とした場合には、液戻り性が不十分となり、注出筒と液注出用開口との間の部分に内容液が付着残存してしまう傾向が大きい。また、凹部の深い箇所に無端状スコアが位置している部分でも、内容液の付着残存が多く認められる傾向がある。即ち、スコア間の間隔が狭い部分或いは凹部の深い位置にスコアが位置している部分では、該スコアを引き裂いたとき、開口と注出筒付け根部分との間部分が大面積となってしまうため、この部分を単に傾斜面としただけでは、液戻り性が改善されず、この部分に多くの内容液が付着残存してしまうのである。
【０００８】
従って、本発明の目的は、液戻り性が顕著に改善され、例えば内容液注出用の開口が注出案内用突起の付け根部分から離れて形成されている場合、特に開口が非円形に形成されている場合にも、内容液注出後において、注出案内用突起の付け根部分と注出用開口との間の部分に内容液が付着残存して貯留することなく、速やかに容器内に戻る構造の注出具を提供することにある。
本発明の他の目的は、上記注出具を備えた構造の容器蓋を提供することにある。
【課題を解決するための手段】
【０００９】
本発明者等は、注出具の液戻り性について鋭意検討した結果、内容液注出用の開口を形成するために無端状スコアを引き裂いたときに発生するバリが、液の容器内への戻りを阻害し、このようなバリの影響を緩和することにより、液の戻り性を顕著に改善し得るという新規知見を見出し、本発明を完成させた。
【００１０】
本発明によれば、環状の内周縁を有する水平フランジ部と、該水平フランジ部の内周縁から中心部に向かって下方に傾斜して延びている傾斜壁を有しているすり鉢型形状の凹部とからなり、該凹部内には、前記傾斜壁の下面に設けられた無端状スコアによって囲まれた開口予定部が形成されており、該開口予定部の上面には、スコア引き裂き用のプルリングを上端に備えた支柱が設けられているとともに、前記水平フランジ部の上面には、注出液案内用突起が形成されている注出具において、
前記傾斜壁の上面には、前記無端状スコアの外側全周に沿って、且つ前記無端状スコアの近傍に、径方向内側が下方に凹む段差部が形成されていることを特徴とする注出具（以下、第１の注出具と呼ぶことがある）が提供される。
【００１１】
また、本発明によれば、環状の内周縁を有する水平フランジ部と、該水平フランジ部の内周縁から中心部に向かって下方に傾斜して延びている傾斜壁を有しているすり鉢型形状の凹部とからなり、該凹部内には、前記傾斜壁に設けられた無端状のスコアによって囲まれた開口予定部が形成されており、該開口予定部の上面には、スコア引き裂き用のプルリングを上端に備えた支柱が設けられているとともに、前記水平フランジ部の上面には、注出液案内用突起が形成されている注出具において、
前記無端状スコアは、前記傾斜壁の上面に形成されていることを特徴とする注出具（以下、第２の注出具と呼ぶことがある）が提供される。
【００１２】
上記第１及び第２の注出具においては、
（１）前記無端状スコアを、非円形形状に形成すること、
（２）前記開口予定部の前記無端状スコアの近傍部分には、部分的に水平な部分が形成されており、この水平な部分に、前記プルリングを上端に備えた支柱を設けること、
という構造を採用することもできる。
【００１３】
本発明によれば、さらに、注出具がキャップ本体と、該キャップ本体に被せられる上蓋とからなる容器蓋であり、該キャップ本体が容器口部に嵌合固定される筒状側壁と、該筒状側壁の上端開口部を閉じるように設けられている天面壁からなり、該天面壁が前記水平フランジ部と前記凹部からなることを特徴とする注出具が提供される。
【発明の効果】
【００１４】
本発明の第１の注出具では、無端状スコアが形成されている傾斜壁の上面に、該無端状スコアの外側全周に沿って、且つ前記無端状スコアの近傍に、径方向内側が下方に凹む段差部が形成されている。このため、無端状スコアを引き裂いて内容液注ぎ出し用の開口を形成したとき、傾斜壁の上面にバリが形成されず、段差部の下部にバリが形成されることとなる。このため、内容液の注ぎ出しによって注出用突起の内面及び傾斜壁の上面に付着した内容液は、容器を直立したときに、傾斜壁の上面に沿って流れ落ち、バリによってせき止められることなく、段差部から速やかに容器内に流れ落ちることとなる。従って、例えば、無端状スコアの形状を非円形形状とし、無端状スコアの引き裂きにより形成される開口と注出用突起の付け根部との間に大面積の部分が形成されるような場合においても、或いは無端状スコアが凹部の深い箇所に位置している部分においても、このような大面積の部分に内容液が貯留せず、液の容器内への戻り性が顕著に改善されるのである。
【００１５】
例えば、上記のような段差部が形成されていない場合には、傾斜壁の上面にバリが露出してしまうため、注出用突起の内面及び傾斜壁の上面から流れ落ちた液は、バリによってせき止められてしまい、この結果、注出用突起の付け根部と開口との間が傾斜面となっていたとしても、良好な液戻り性を確保することが困難となってしまうのである。
【００１６】
また、一般に、内容液注出用の開口を形成するための無端状スコアは、第１の注出具のように、傾斜壁の下面に形成される。傾斜壁の上面にはスコア引き裂き用のプルリングなどが形成されているため、この上面にスコアを形成する場合には、スコア成形金型を２部品の金型により成形しなければならず、金型の成形が複雑となってしまうが、傾斜壁の下面に無端状スコアを形成する場合には、成形を阻害するような部材が形成されていないため、１つの金型によりスコアを成形することが可能となるからである。
【００１７】
しかるに、本発明の第２の注出具では、第１の注出具のような段差部は形成されておらず、この代わりに、内容液注出用の開口を形成するための無端状スコアが傾斜壁の上面に形成されている。即ち、煩雑な成形装置を使用しなければならないが、無端状スコアを傾斜壁の上面に形成した場合には、段差部を形成することなく、第１の注出具と同様な液戻り性を確保することが可能となるのである。この理由は、おそらく、無端状スコアを引き裂いたときに生成するバリは、引き裂き面が開口予定部の下方側に形成され、傾斜壁の上面には露出していないためではないかと思われる。即ち、傾斜壁の上面とバリの形成面が、第１の注出具における段差部と同様の作用を示し、この結果、流れ落ちる液がバリによりせき止められず、スムーズに容器内に戻るものと考えられる。
【００１８】
従って、上述した本発明の第１及び第２の注出具は、何れも、容器口部の中栓や紙容器の注出具として使用できるが、特に、容器口部に嵌合固定されるキャップ本体と、該キャップ本体に被せられる上蓋とからなる容器蓋として好適に適用される。
【発明を実施するための最良の形態】
【００１９】
本発明を、以下、添付図面に示す具体例に基づいて説明する。
図１は、本発明の第１の注出具である容器蓋（ヒンジキャップ）の上蓋を開放した状態での上面図であり、
図２は、図１の容器蓋の側面断面図（図１のＡ−Ａ断面図）であり、
図３は、図１の容器蓋の底面図であり、
図４は、図２の容器蓋におけるキャップ本体の要部を拡大して示す断面図であり、
図５は、図２の容器蓋におけるキャップ本体の無端状スコアが引き裂かれて内容液注出用の開口が形成された状態を示す要部拡大断面図であり、
図６は、図２の容器蓋におけるキャップ本体に段差部が形成されていない場合において、無端状スコアが引き裂かれて内容液注出用の開口が形成された状態を示す要部拡大断面図であり、
図７は、図２とは異なる態様の第１の注出具である容器蓋の側面断面図であり、
図８は、本発明の第２の注出具である容器蓋（ヒンジキャップ）において、要部を拡大して示す断面図であり、
図９は、図８の容器蓋における無端状スコアが引き裂かれて内容液注出用の開口が形成された状態を示す要部拡大断面図である。
【００２０】
本発明の第１の注出具である容器蓋について、ヒンジキャップを例にとって、その構造及び形態を説明する。
【００２１】
上記ヒンジキャップを示す図１乃至図３を参照して、このヒンジキャップは、キャップ本体１と上蓋２とから成り、キャップ本体１は、筒状側壁３と、天面壁５とから形成されている。図２から理解されるように、天面壁５は、筒状側壁３の上端部分を閉じるように、該筒状側壁３と一体に形成されており、シール具としても機能する。
【００２２】
筒状側壁３の上端部分を閉じている天面壁５は、大まかに言って、水平フランジ部７と、水平フランジ部７の内周縁に連なっている凹部９とから形成されており、水平フランジ部７の上面には、内容液を注出する際の案内となる注出筒１０が形成されており、凹部９内には、内容液注出用の開口を形成するための無端状スコア１１が凹部９を形成する壁の下面に形成されている。即ち、無端状スコア１１を引き裂くことにより、内容液を注出するための開口が形成されるのであり、この無端状スコア１１によって囲まれた領域が開口予定部となる。また、この開口予定部の上面には、上端にプルリング１３を備えた支柱１５が形成されており、プルリング１３を引っ張り上げることにより、無端状スコア１１が引き裂かれるような構造となっている。このような天面壁５の詳細な構造については後述する。
【００２３】
尚、このようなヒンジキャップにおいては、水平フランジ部７の下面に、下方に降下したインナーリング１７が形成されており、このインナーリング１７により、シール性が維持されるようにキャップ本体１が容器口部（図２において７０で示されている）に嵌合固定される。また、水平フランジ部７の上面には、注出筒１０の外側に背の低い小突起１９が環状に形成されており、この小突起１９との係合により、閉められた上蓋２が固定されるようになっている。
【００２４】
天面壁５によって上端が閉じられている筒状側壁３は、図１及び図２から明らかなように、上方からの切り込みによって環状に形成されているスリット２０によって内側壁３ａと外側壁３ｂとに分断されており、内側壁３ａと外側壁３ｂとは、下方端部で互いに連結されている（この連結部は、図２において３ｃで示されている）。また、内側壁３ａの内面には、容器口部７０の外面と係合する係合突起２１が設けられている。上記のようなスリット２０を設けて筒状側壁３を二重壁構造とすることにより、キャップ本体１と容器口部７０との係合力を低下させることなく、この容器蓋の分別廃棄性を高め、キャップ本体１を格別の工具を用いることなく、容易に容器口部７０から取り除くことが可能となるものである。
【００２５】
即ち、図２に示されているように、容器口部７０は、その上方部分が、上記の内側壁３ａと前述したインナーリング１７との間の空間に嵌め込まれ、且つ容器口部７０の外面が前記係合突起２１と係合することにより、キャップ本体１は、容器口部７０にがっちりと固定され、インナーリング１７の外面が容器口部７０の内面と密着することによってシール性が確保される。この場合において、内側壁３ａは、外側壁３ｂによってタガ締めされており、この結果、内側壁３ａの係合突起２１と容器口部７０との間に高い係合力を確保することができる。尚、水平フランジ部７の下面には、インナーリング１７と内側壁３ａとの間の部分に溝２３が形成されており（図２参照）、この溝２３により、キャップ本体１を容器口部７０に嵌め込んだときインナーリング１７と容器口部７０の内面との密着度を上げるために、インナーリング１７の自由度を大きくしている。
【００２６】
一方、外側壁３ｂの上端部分には、ヒンジバンド２５によって上蓋２が連結されており、ヒンジバンド２５を支点として上蓋２を旋回することにより、開栓及び閉栓が行われるものであり、図１及び図２では、上蓋２が開栓されている状態（即ち、キャップ本体１に上蓋２が被せられていない状態）が示されている。また、ヒンジバンド２５の両側には、ヒンジバンド２５よりもやや低い位置に補助バンド２７が設けられており、この補助バンド２７によっても上蓋２は、キャップ本体１の外側壁３ｂに連結されている。即ち、上蓋２を旋回して開栓したとき、補助バンド２７により加わるテンションにより、上蓋２が開栓された状態が保持されるようになっている。
【００２７】
さらに、図１に示されているように、外側壁３ｂの内面には、上記補助バンド２７，２７の近傍部分のそれぞれに、軸方向スコア２９が、外側壁３ｂの上端から下端まで延びている。即ち、開栓状態にある上蓋２を手で持って下方に引き降ろすことにより軸方向スコア２９を引き裂き、次に上蓋を上方に引き上げることにより、軸方向スコア２９と対応する内側壁３ａの内面に形成された軸方向スコアを引き裂くと、外側壁３ｂによる内側壁３ａのタガ締めが解除され、内側壁３ａの係合突起２１と容器口部７０との係合力が低下する。この状態で、更に上蓋２を上方に引っ張り上げることにより、キャップ本体１を容器口部７０から取り外すことが可能となる。即ち、格別の工具を用いることなく、キャップ本体１を容器口部７０から取り外すことが可能となるのであり、これが、前述したスリット２０を設けて筒状側壁３を二重壁構造としたことによりもたらされる分別廃棄性向上効果である。
【００２８】
尚、軸方向スコア２９に連続して外側壁３ｂと内側壁３ａの連結部に水平方向（周方向）に延びている水平方向スコアを設けることも可能であり、このように水平方向スコアを設けることにより、軸方向スコアが引き裂かれると、外側壁３ｂによる内側壁３ａのタガ締め力が更に弱められ、容易にキャップ本体１を容器口部７０から取り外すことが可能となる。
【００２９】
また、上述した例では、スリット２０が筒状側壁３の全周にわたって設けられているが、このようなスリット２０は、上記のような分別廃棄性が確保される限りにおいて、必ずしも筒状側壁３の全周にわたって設けられている必要はなく、例えば筒状側壁３の周方向の一部にのみ弧状にスリット２０を形成することもできる。（一般的には、優れた分別廃棄性を確保するために、筒状側壁３の約半周以上にわたってスリット２０が形成されていることが好ましい。）
【００３０】
また、上蓋２は、天板部３０と、天板部３０の周縁から延びているスカート部３１とから形成されており、スカート部３１の外面の下方部分は、前述したヒンジバンド２５及び補助バンド２７によってキャップ本体１の筒状側壁３（外側壁３ｂ）に連結されている。
【００３１】
天板部３０の内面には、シールリング３３が設けられている。上蓋２を旋回して閉じたとき、このシールリング３３が、天面壁５の注出筒１０の内面に密着することにより、スコア１１を破断しての注出用開口形成後のシール性が確保されることとなる。
【００３２】
また、上蓋２のスカート部３１の下方部分の内面には、図２に示されているように、係合用凹部３５が設けられており、上蓋２を閉じたとき、この係合用凹部３５がキャップ本体１の小突起１９と係合することにより、上蓋２がしっかりと保持され、閉栓状態が安定に保たれることとなる。
【００３３】
さらに、上蓋２のスカート部３１の下端部分の外面には、ヒンジバンド２５とは反対側部分に、開封用鍔３７が設けられている。この開封用鍔３７の下面には、滑り止め用の偏平状突部３９（特に図１参照）が形成されている。この開封用鍔３７を指で引っ掛けて上蓋２を上方に持ち上げることにより上蓋２の開封を容易に行うことができる。尚、この上蓋２の開封を一層容易に行うために、上蓋２を閉じた時に、開封用鍔３７が位置する部分においては、外側壁３ｂの外面が凹面５０となっており、開封用鍔３７への指の引っ掛けを容易に行い得るようになっている。
【００３４】
尚、図１及び図２から理解されるように、天面壁５の上面に形成されている注出筒１０のヒンジバンド２５側の部分は、背が低く形成されている。これは、上蓋２を閉じるとき、シールリング３３の旋回が注出筒１０によって阻害されないようにするためである。また、注出筒１０は、容器内容液を注ぎ出す際の案内として機能するものであるが、上記のような構造の容器蓋では、内容液の注ぎ出しは、上蓋２が設けられている側とは反対側の部分（即ち、ヒンジバンド２５とは反対側の部分）から行われるため、内容液が注ぎだされる部分に、弧状の突起を形成し、これを注出筒１０と同様の機能を持たせることもできる。
【００３５】
上述した構造の容器蓋において、天面壁５の水平フランジ部７の内側には凹部９が形成されている。この凹部９は、図２から明らかなように、水平フランジ部７の内周縁から中心部に向かって傾斜して延びている傾斜壁５１を有しており、全体としてすり鉢型形状を有している。このようなすり鉢型形状の凹部９内（即ち、傾斜壁５１）に、開口を形成するための無端状スコア１１が形成されている。即ち、このような傾斜壁５１に無端状スコア１１を形成することにより、無端状スコア１１の引き裂きにより形成された開口と、注出筒１０の付け根部分との間が傾斜面となり、内容液の注出によって注出筒１０の内面等に付着残存した液の容器内への液戻り性が向上させることができるのである。
【００３６】
また、無端状スコア１１は、図２に示されているように、傾斜壁５１の下面に形成されている。即ち、傾斜壁５１の上面側に無端状スコア１１を形成することも可能であるが、傾斜壁５１の上面側には、プルリング１３などの部材が位置しているため、傾斜壁５１の上面側に無端状スコア１１を形成するときには、スコア成形金型を２部品の金型により成形しなければならず、金型の成形が複雑となってしまうが、傾斜壁の下面に無端状スコアを形成する場合には、成形を阻害するような部材が形成されていないため、１つの金型によりスコアを成形することが可能となり、成形装置の構造も簡単となり、生産性の点で有利となるからである。
【００３７】
さらに、凹部９内に形成されている無端状スコア１１は、その用途等に応じて、開口を通して注ぎだされる内容液の液量を調整するために、非円形状とすることもできる。即ち、図１に示されている例では、プルリング１３を備えた支柱１５が設けられている側（ヒンジバンド２５側）及びその反対側部分において、無端状スコア１１の間隔が狭く形成され、その間の部分において、無端状スコア１１の間隔が大きな大面積部分となっている。また、無端状スコア１１の形状を小径の円形状とすることもできる。無端状スコアの形状を、このような非円形状としたり或いは小径の円形とした場合には、注出筒１０と無端状スコア１１との間隔が大きな部分が形成され、このような部分に液の付着が生じやすくなるが、このような場合においても、本発明においては、後述する手段により、良好な液戻り性を確保することができる。
【００３８】
尚、図示されていないが、上記のような無端状スコア１１は、プルリング１３を備えた支柱１５が設けられている側（ヒンジバンド２５側）及びその反対側部分において、注出筒１０の付け根部に近い高さの部分に形成されており、その部分から降下し、図２の中央部分では、傾斜壁５１を水平方向に延びている。
【００３９】
本発明のキャップ本体１の要部が拡大して示されている図４を参照して、本発明においては、傾斜壁５１の上面には、無端状スコア１１の外側全周に沿って、傾斜壁５１の傾斜角度θ１よりも急勾配の傾斜角θ２を有する帯状の段差部５３が形成されていることが重要である。即ち、このような帯状の段差部５３を設けることにより、無端状スコア１１を引き裂いて内容液注出用の開口を形成し、該開口を介して内容液の注ぎ出しを行った後の容器内への液戻り性を顕著に向上させることが可能となる。（尚、図２において、無端状スコア１１の中央部分には水平方向に延びている部分が存在するため、図４に示されているように、この段差部５３にも、水平方向に延びている部分５３ａが存在することとなる。）
【００４０】
即ち、図５に示されているように、無端状スコア１１を引き裂いて内容液注ぎ出し用の開口５５を形成したとき、引き裂かれた傾斜壁５１にはバリ５７が形成されることとなるが、本発明にしたがって段差部５３が形成されている場合には、このようなバリ５７は、引き裂かれた傾斜壁５１の上面の端部５１ａに形成されず、急勾配の段差部５３の下部にバリ５７が形成される。即ち、内容液の注ぎ出し後、容器を直立させたとき、注出筒１０の内面及び傾斜壁５１の上面に付着した液は、傾斜壁５１の上面に沿って流れ落ちるが、急勾配の段差部５３の形成により、バリ５７によってせき止められず、このような段差部５３から速やかに容器内に流れ落ちるのである。
【００４１】
例えば、段差部５３を形成しなかった場合には、図６に示されているように、傾斜壁５１の上面の端部にバリ５７が露出してしまうため、注出筒１０の内面や傾斜壁５１の上面から流れ落ちた液は、バリ５７によってせき止められてしまい、この結果、注出筒１０の付け根部と開口５０との間が傾斜壁５１となっていたとしても、良好な液戻り性を確保することができないのである。
【００４２】
本発明においては、上記のような段差部５３を形成することにより、液戻り性が顕著に向上しているため、例えば無端状スコア１１を非円形状に形成し或いは小径の円形状とし、これによって注出筒１０の付け根部と開口５５との間に大面積の傾斜壁５１が存在するような場合にも、注出筒１０の内面や傾斜壁５１の上面に付着残存した液は、速やかに容器内に回収されることとなる。
【００４３】
本発明において、上記のような段差部５３の傾斜角θ２は、傾斜壁５１の傾斜壁５１の傾斜角θ１よりも大きな勾配となっていればよい。
【００４４】
また、段差部５３は無端状スコア１１の近傍に設けられることが重要であり、スコア１１の上端外周位置からの距離ｄが２．０ｍｍ以内の範囲にあるのが好ましく、特に、１．０ｍｍ以内の範囲にあるのがよい。
【００４５】
また、上述した容器蓋に設けられている第１の注出具においては、種々の設計変更が可能である。例えば、他の例の第１の注出具である容器蓋の側断面図を示す図７を参照して、この例の容器蓋では、天面壁５の凹部９内には、平坦部６０が設けられており、この平坦部６０上に無端状スコア１１の内部近傍に位置している支柱１５が形成されている。このような平坦部６０上にプルリング１３を有する支柱１５を設けた場合には、無端状スコア１１の引き裂き性が向上するという利点がある。即ち、無端状スコア１１を引き裂くときの支柱１５の引っ張り方向と支柱１５を支持している面との角度αが、傾斜壁５１上に支柱１５が形成されている前述した構造の注出具５に比してより小さくなっており、この結果、無端状スコア１１の引き裂きを一層容易に行うことが可能となるのである。
【００４６】
尚、図７の容器蓋においては、支柱１５が平坦部６０上に設けられている点を除けば、他の構造は、図１乃至図３の容器蓋と全く同じである。従って、図７では、主要部に関する印照数字のみを示し、他の印照数字は省略されている。
【００４７】
さらに本発明の第２の注出具である容器蓋の要部を拡大して示す図８において、この容器蓋では、筒状側壁３の上端を閉じている天面壁６５に、段差部５３が形成されておらず、且つ無端状スコア１１が、傾斜壁５１の上面に形成されており、他の点は、全て第１の注出具である図１乃至図３の容器蓋と全く同じ構造である。
【００４８】
即ち、先にも述べたように、無端状スコア１１は、第１の注出具のように、傾斜壁５１の下面に形成することが、割金型のような複雑な成形装置を使用せずに成形できるために好適である。しかしながら、複雑な構造の成形装置を用いて成形しなければならないのであるが、図８に示すように、傾斜壁５１の上面に無端状スコア１１を形成した第２の注出具では、段差部５３を形成せずに、前述した第１の注出具と同等の液戻り性を確保することが可能となる。即ち、このような構造の第２の注出具において、図９に示すように、無端状スコア１１を引き裂いて開口５５を形成すると、スコア１１の引き裂きにより生成するバリ５７は、傾斜壁５１の上面５１ａには露出せず、傾斜壁５１の引き裂き面５１ｂの下側に位置することとなる。この結果、このような引き裂き面５１ｂが、第１の注出具における段差部５３と同等の作用を示し、流れ落ちる液がバリ５７によりせき止められず、スムーズに容器内に戻るものと考えられるのである。
【００４９】
このように、無端状スコア１１を傾斜壁５１の上面に形成した第２の注出具においても、急勾配の段差部５３を設けた第１の注出具と同様、優れた液戻り性を示す。このような第２の注出具においても、第１の注出具と同様の設計変更が可能であり、例えば凹部９内に平坦部６０を設け、この平坦部６０にプルリング１３を有する支柱１５を設けることにより、無端状スコア１１の引き裂き性を高めることができる。
【００５０】
また、上述した例では、第１の注出具及び第２の注出具として所謂ヒンジキャップを例示したが、このような注出具を螺子キャップに適用することも勿論可能である。このような螺子キャップは、例えば、水平フランジ部７の注出筒１０の外側に、螺条を外面に備えた筒状突起を設け、この筒状突起の螺条に上蓋を螺子締結により着脱自在に装着する構造とすればよい。また、上述した第１の注出具及び第２の注出具を中栓或いは紙容器の注出具等として使用し得ることは勿論である。
【図面の簡単な説明】
【００５１】
【図１】本発明の第１の注出具である容器蓋（ヒンジキャップ）の上蓋を開放した状態での上面図。
【図２】図１の容器蓋の側面断面図（図１のＡ−Ａ断面図）。
【図３】図１の容器蓋の底面図。
【図４】図２の容器蓋におけるキャップ本体の要部を拡大して示す断面図。
【図５】図２の容器蓋におけるキャップ本体の無端状スコアが引き裂かれて内容液注出用の開口が形成された状態を示す要部拡大断面図。
【図６】図２の容器蓋におけるキャップ本体に段差部が形成されていない場合において、無端状スコアが引き裂かれて内容液注出用の開口が形成された状態を示す要部拡大断面図。
【図７】図２とは異なる態様の第１の注出具である容器蓋の側面断面図。
【図８】本発明の第２の注出具である容器蓋（ヒンジキャップ）において、要部を拡大して示す断面図。
【図９】図８の容器蓋における無端状スコアが引き裂かれて内容液注出用の開口が形成された状態を示す要部拡大断面図。
【符号の説明】
【００５２】
５：第１の注出具
７：水平フランジ部
９：凹部
１０：注出筒
１１：無端状スコア
１３：プルリング
１５：支柱
５３：段差部
６５：第２の注出具
【図１】
2008110769.tif 000003
【図２】
2008110769.tif 000004
【図３】
2008110769.tif 000005
【図４】
2008110769.tif 000006
【図５】
2008110769.tif 000007
【図６】
2008110769.tif 000008
【図７】
2008110769.tif 000009
【図８】
2008110769.tif 000010
【図９】
2008110769.tif 000011